(57)【要約】【課題】画像を撮影するために適した位置を案内する。【解決手段】画像が撮影された位置情報を記憶する記憶部と、位置情報に基づいて、位置ごとに画像の数を集計する集計部と、集計された画像の数が予め定められた閾値を超えている位置を、画像を撮影するための撮影スポットとして案内する案内部と、を備える、撮影スポット案内システム。【選択図】図１
2014232407.tif 000002
【特許請求の範囲】
【請求項１】
撮影スポット案内システムであって、
画像が撮影された位置情報を記憶する記憶部と、
前記位置情報に基づいて、位置ごとに画像の数を集計する集計部と、
集計された画像の数が予め定められた閾値を超えている位置を、画像を撮影するための撮影スポットとして案内する案内部と、
を備える、撮影スポット案内システム。
【請求項２】
請求項１に記載の撮影スポット案内システムであって、
撮影スポットを案内する時期である案内時期を取得する案内時期取得部を備え、
前記記憶部は、画像が撮影された時期情報を前記位置情報に対応付けて記憶しており、
前記集計部は、更に前記時期情報に基づいて、時期ごとに画像の数を集計し、
前記案内部は、取得された前記案内時期に対応する時期において、前記時期ごとに集計された画像の数が予め定められた閾値を超えている位置を、前記撮影スポットとして案内する、撮影スポット案内システム。
【請求項３】
請求項１又は請求項２に記載の撮影スポット案内システムであって、
前記撮影スポットを案内するエリアである案内エリアを取得する案内エリア取得部を備え、
前記案内部は、取得された前記案内エリア内の前記撮影スポットを案内する、撮影スポット案内システム。
【請求項４】
請求項１から請求項３までのいずれか一項に記載の撮影スポット案内システムであって、
前記案内部は、前記撮影スポットのうち、前記画像の数の多い位置を優先して案内する、撮影スポット案内システム。
【請求項５】
請求項１から請求項４までのいずれか一項に記載の撮影スポット案内システムであって、
前記案内部は、前記撮影スポットを地図上に表示して案内する、撮影スポット案内システム。
【請求項６】
請求項１から請求項５までのいずれか一項に記載の撮影スポット案内システムであって、
前記案内部は、前記撮影スポットをリスト化して案内する、撮影スポット案内システム。
【請求項７】
撮影スポット案内システムによる撮影スポット案内方法であって、
画像が撮影された位置情報を記憶し、
前記位置情報に基づいて、位置ごとに画像の数を集計し、
集計された画像の数が予め定められた閾値を超えている位置を、撮影スポットとして案内する、撮影スポット案内方法。
【請求項８】
撮影スポットを案内するためのコンピュータプログラムであって、
画像が撮影された位置情報を記憶する記憶機能と、
前記位置情報に基づいて、位置ごとに画像の数を集計する集計機能と、
集計された画像の数が予め定められた閾値を超えている位置を、撮影スポットとして案内する案内機能と、
をコンピュータに実現させるコンピュータプログラム。
【発明の詳細な説明】
【技術分野】
【０００１】
本発明は、撮影スポット案内システム、撮影スポット案内方法及びコンピュータプログラムに関する。
【背景技術】
【０００２】
撮影された画像の位置情報を利用するシステムが知られている。例えば、特許文献１には、表示装置の画像用領域に複数の画像を表示させ、地図用領域に地図を表示させるとともに、地図上に複数の画像の撮影位置を示す撮影地点マークを表示させ、画像と撮影地点マークとの対応を表示をする情報処理装置が開示されている。この技術では、画像とその撮影地点との対応をわかりやすく表示することができる。
【先行技術文献】
【特許文献】
【０００３】
【特許文献１】特開２０１０−２６９７５号公報
【特許文献２】特開２０１０−１２８７０９号公報
【発明の概要】
【発明が解決しようとする課題】
【０００４】
しかし、特許文献１の技術では、画像と撮影地点との対応関係がわかるものの、その撮影地点が画像を撮影するために適した位置であるかはわからなかった。そのため、ユーザは、例えば観光地などにおいて画像を撮影するために適した位置を、容易に知ることができなかった。そのほか従来のシステムでは、使い勝手の向上や、精度の向上、処理の簡易化等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、撮影スポット案内システムが提供される。この撮影スポット案内システムは、画像が撮影された位置情報を記憶する記憶部と；前記位置情報に基づいて、位置ごとに画像の数を集計する集計部と；集計された画像の数が予め定められた閾値を超えている位置を、画像を撮影するための撮影スポットとして案内する案内部と；を備える。このような態様の撮影スポット案内システムであれば、閾値を超えた数だけ撮影が行われた位置を撮影スポットとして案内するので、画像を撮影するために適した位置を案内することができる。また、ユーザが撮影スポットを探す手間を省くことができる。
【０００７】
（２）上記形態の撮影スポット案内システムにおいて、撮影スポットを案内する時期である案内時期を取得する案内時期取得部を備え；前記記憶部は、画像が撮影された時期情報を前記位置情報に対応付けて記憶しており；前記集計部は、更に前記時期情報に基づいて、時期ごとに画像の数を集計し、；前記案内部は、取得された前記案内時期に対応する時期において、前記時期ごとに集計された画像の数が予め定められた閾値を超えている位置を、前記撮影スポットとして案内してもよい。このような態様の撮影スポット案内システムであれば、撮影された画像の数に、時期によって変動がある位置であっても、案内時期において閾値を超えていれば、撮影スポットとして案内することができる。
【０００８】
（３）上記形態の撮影スポット案内システムにおいて、前記撮影スポットを案内するエリアである案内エリアを取得する案内エリア取得部を備え；前記案内部は、取得された前記案内エリア内の前記撮影スポットを案内してもよい。このような態様の撮影スポット案内システムであれば、案内部は、取得されたエリア内の撮影スポットを確実に案内することができる。よって、案内の精度を高めることができる。
【０００９】
（４）上記形態の撮影スポット案内システムにおいて、前記案内部は、前記撮影スポットのうち、前記画像の数の多い位置を優先して案内してもよい。このような態様の撮影スポット案内システムであれば、撮影スポットが多く存在する場合であっても、より人気のある撮影スポットから案内することができる。よって、ユーザにとって利便性の高い案内を行うことができる。
【００１０】
（５）上記形態の撮影スポット案内システムにおいて、前記案内部は、前記撮影スポットを地図上に表示して案内してもよい。このような態様の撮影スポット案内システムであれば、撮影スポットをわかりやすく案内することができる。よって、更に利便性の高い案内を行うことができる。
【００１１】
（６）上記形態の撮影スポット案内システムにおいて、前記案内部は、前記撮影スポットをリスト化して案内してもよい。このような態様の撮影スポット案内システムであれば、撮影スポットをまとめて案内することができる。よって、撮影スポットをわかりやすく案内することができる。
【００１２】
本発明は、撮影スポット案内システム以外の種々の形態で実現することも可能である。例えば、撮影スポット案内端末や、撮影スポット案内方法、その方法を実現するためのコンピュータプログラム、そのコンピュータプログラムを記録した一時的でない記録媒体等の形態で実現することができる。
【図面の簡単な説明】
【００１３】
【図１】撮影スポット案内システム１０の概略構成を示す説明図である。
【図２】撮影スポット案内システム１０により実行される撮影スポット案内処理のフローチャートである。
【図３】案内条件の入力画面Ｗ１の一例を示す図である。
【図４】集計部２１４による集計の様子を示すイメージ図である。
【図５】異なる位置における集計部２１４による集計の様子を示すイメージ図である。
【図６】表示部１２４に表示される案内情報の例Ｗ２を示す図である。
【図７】表示部１２４に表示される案内情報の別の例Ｗ３を示す図である。
【発明を実施するための形態】
【００１４】
Ａ．第１実施形態：
Ａ１．システム構成：
図１は、撮影スポット案内システム１０の概略構成を示す説明図である。撮影スポット案内システム１０は、スマートフォン１００と、案内サーバ２００とを備える。スマートフォン１００は、送受信アンテナと無線基地局と交換局とを含む通信キャリア７０を介して、インターネット８０に接続された案内サーバ２００にアクセスすることができる。
【００１５】
スマートフォン１００は、制御部１１０と、無線通信部１２０と、タッチパネル１２２と、表示部１２４と、ＧＰＳ受信機１２６と、計時部１２８と、記憶部１３０と、を備える。
【００１６】
無線通信部１２０は、通信キャリア７０を介したデータ通信や音声通信を行うための回路である。
【００１７】
表示部１２４は、地図画像等の種々の画像を表示する装置である。タッチパネル１２２は、表示部１２４に重畳して設けられており、指やペンによるユーザからのタッチ操作を受け付ける。
【００１８】
ＧＰＳ受信機１２６は、ＧＰＳ（Global Positioning System／全地球測位システム）を構成する人工衛星から受信した電波に基づいて、スマートフォン１００（ユーザ）の現在位置（経度・緯度）を測位する。
【００１９】
計時部１２８は、現在時刻の計測を行う集積回路（例えば、リアルタイムクロック回路）である。なお、計時部１２８は、後述する制御部１１０が現在時刻の計測を行うためのプログラムを実行することでソフトウェア的に実現してもよい。
【００２０】
記憶部１３０は、不揮発的にデータが記憶される記憶装置であり、例えば、フラッシュメモリによって構成される。
【００２１】
制御部１１０は、ＣＰＵやメモリを備えており、スマートフォン１００の動作全体を制御する。
【００２２】
次に、案内サーバ２００について説明する。案内サーバ２００は、主制御部２１０と、通信部２２０と、記憶部２３０と、を備えている。通信部２２０は、インターネット８０を介してスマートフォン１００と通信を行うことができる。
【００２３】
記憶部２３０は、画像情報データベース（ＤＢ）２４０と、エリアデータベース（ＤＢ）２５０と、地図データベース（ＤＢ）２６０と、を記憶している。
【００２４】
画像情報データベース２４０には、画像情報が記憶されている。画像情報とは、画像を識別するためのナンバー（ＩＤ）と、画像が撮影された位置（経度・緯度）に関する位置情報と、画像が撮影された時期（時刻）に関する時期情報と、が対応付けられた情報である。なお、画像情報は、画像そのものを含んでいてもよく、画像へのリンクを含んでいてもよい。
【００２５】
エリアデータベース２５０には、複数の位置情報で構成されるエリアが記憶されている。エリアとは、テーマパークなどの施設や、観光エリア等である。
【００２６】
地図データベース２６０には、スマートフォン１００の表示部１２４に地図を表示させるための地図データや、経路探索を行うための道路ネットワークデータが記憶されている。ネットワークデータには、自動車や自転車、バス、電車、徒歩、など、各種移動手段ごとに、それぞれの移動手段が移動可能な道のつながり状態をリンクやノードによって表したデータが含まれる。
【００２７】
主制御部２１０は、ＣＰＵやメモリを備えており、案内サーバ２００の動作全体を制御する。主制御部２１０は、メモリに記録されたコンピュータプログラムがＣＰＵによって実行されることで、案内時期取得部２１１や、案内エリア取得部２１２、集計部２１４、案内部２１６として機能する。
【００２８】
案内時期取得部２１１は、後述の撮影スポット案内処理において、スマートフォン１００（ユーザ）から、撮影スポットを案内する時期である案内時期を取得する。
【００２９】
案内エリア取得部２１２は、後述の撮影スポット案内処理において、スマートフォン１００（ユーザ）から、撮影スポットを案内するエリアである案内エリアを取得する。
【００３０】
集計部２１４は、記憶部２３０の画像情報データベース２４０を参照し、各画像の位置情報に基づいて、位置ごとに画像の数を集計する。集計部２１４は、同一の位置とみなす位置（例えば、所定の地点から半径２ｍ、５ｍ等）が設定されている場合には、その位置ごとに、その位置に対応する位置情報を有する画像の数を集計する。また、集計部２１４は、案内エリア取得部２１２によって取得された案内エリア内において撮影された画像の数を、集計することができる。
【００３１】
集計部２１４は、位置ごとに集計された画像の数を更に時期ごとに集計することができる。本実施形態では、時期は、「月」に設定されており、集計部２１４は撮影された画像の数を、月ごとに（一ヶ月単位で）集計する。すなわち、集計部２１４は、各月の合計の画像の数を算出する。これらの同一の位置とみなす範囲や、集計を行う時期の単位は撮影スポット案内システム１０の管理者により予め定められ、記憶部２３０に記憶されている。
【００３２】
案内部２１６は、集計部２１４によって集計された画像の数が予め定められた閾値を超えている位置を、撮影スポットとして案内する。案内部２１６は、案内時期取得部２１１によって取得された案内時期に対応する時期において、集計された画像の数が予め定められた閾値を超えている位置を、撮影スポットとして案内することができる。例えば、案内部２１６は、案内時期が３月である場合には、３月において撮影された画像の数が閾値を超えている位置を、撮影スポットとして案内する。なお、案内時期が指定されていない場合には、案内部２１６は、１年を通じて閾値を超えている位置を、撮影スポットとして案内する。また、案内部２１６は、案内エリア取得部２１２によって取得された案内エリア内の撮影スポットを案内することができる。更に案内部２１６は、撮影スポットのうち、画像の数の多い撮影スポットを優先して案内することができる。なお、閾値及び案内時期が指定されていない場合に案内部２１６が案内を行う時期（本実施形態では１年）は、予め撮影スポット案内システム１０の管理者によって定められ、記憶部２３０に記憶されている。
【００３３】
案内部２１６は、撮影スポットを示す案内情報を生成する。例えば、案内部２１６は、撮影スポットを含む地図データを地図データベース２６０から抽出し、その地図上に撮影スポットを表示させた案内情報を生成することができる。また、案内部２１６は、撮影スポットをリスト化した案内情報を生成することができる。案内部２１６は、生成した案内情報を、通信部２２０を介してスマートフォン１００へ送信する。
【００３４】
Ａ２．撮影スポット案内処理：
図２は、撮影スポット案内システム１０により実行される撮影スポット案内処理のフローチャートである。本実施形態では、撮影スポット案内処理は、スマートフォン１００の制御部１１０のＲＯＭに記憶されているプログラムを、スマートフォン１００のユーザが指定して実行することで開始される。
【００３５】
撮影スポット案内処理が開始されると、スマートフォン１００の制御部１１０は、案内条件を入力するための入力画面Ｗ１を表示部１２４に表示して、タッチパネル１２２を介して、案内条件の入力を受け付ける（ステップＳ１００）。案内条件とは、案内時期や、案内エリア、案内情報の表示方法を含む条件をいう。
【００３６】
図３は、案内条件の入力画面Ｗ１の一例を示す図である。入力画面Ｗ１は、案内時期入力欄Ｃ１と、案内エリア入力欄Ｃ２と、表示方法選択欄Ｃ３と、優先順位表示選択欄Ｃ４と、キャンセルボタンＢ１１と、案内開始ボタンＢ１２と、を備える。案内時期入力欄Ｃ１は、ユーザが撮影スポットの案内を希望する時期を入力する欄である。案内エリア入力欄Ｃ２は、撮影スポットの案内を希望するエリアを入力する欄である。表示方法選択欄Ｃ３は、撮影スポットの表示方法を選択する欄である。撮影スポットの表示方法として、（ａ）地図上に表示、（ｂ）リスト化して表示、の中から少なくとも一つが選択される。優先順位表示選択欄Ｃ４は、撮影スポットのうち、画像の数の多い位置を優先して案内するか否かを選択する欄である。図３には、案内時期入力欄Ｃ１に案内時期として「３月」が入力されており、案内エリア入力欄Ｃ２に案内エリアとして「ＸＹ城」が入力されており、表示方法選択欄Ｃ３に表示方法として「地図上に表示」が選択されている様子が示されている。
【００３７】
図２に戻り、スマートフォン１００の制御部１１０は、ステップＳ１００において、案内開始ボタンＢ１２が押下されると、入力された案内条件を、撮影スポット案内要求とともに案内サーバ２００へ送信する（ステップＳ１１０）。案内エリア入力欄Ｃ２に入力がされていない場合には、制御部１１０は、ＧＰＳ受信機１２６によってスマートフォン１００（ユーザ）の現在位置を検出し、案内エリアを現在位置から所定の範囲に設定して案内サーバ２００へ送信する。所定の範囲は、例えば、ユーザの移動手段（車、自転車、徒歩等）によって３０分以内に移動可能な範囲のように、撮影スポット案内システム１０の管理者によって任意に定めておくことができる。
【００３８】
案内サーバ２００の主制御部２１０は、通信部２２０を介して、撮影スポット案内要求を受信するとともに、案内条件を取得する（ステップＳ２００）。案内サーバ２００の集計部２１４は、記憶部２３０の画像情報データベース２４０を参照し、位置ごとに、案内条件に基づいて画像の数を集計する（ステップＳ２１０）。
【００３９】
案内部２１６は、集計結果に基づいて、案内時期に対応する時期において、画像の数が閾値以上の位置があるか否かを確認する（ステップＳ２２０）。案内部２１６は、画像の数が閾値以上の位置がある場合には（ステップＳ２２０：ＹＥＳ）、その位置を撮影スポットとして決定して案内する（ステップＳ２３０）。
【００４０】
図４は、集計部２１４による集計の様子を示すイメージ図である。本実施形態では、集計部２１４は、案内エリア「ＸＹ城」に含まれる位置情報をエリアデータベース２５０から抽出し、抽出された位置情報が対応付けられた画像情報を、記憶部２３０の画像情報データベース２４０を参照して抽出する。集計部２１４は抽出した画像情報から、画像の数を位置ごと及び月ごとに集計する。図４には、位置Ｓ１における集計結果がグラフを用いて示されている。図４のグラフに示すように、位置Ｓ１において、案内時期である３月の画像の数は、閾値を超えている（図２、ステップＳ２２０：ＹＥＳ）。そのため、案内部２１６は、位置Ｓ１を、撮影スポットとして案内する（図２、ステップＳ２３０）。なお、位置Ｓ１は、年間を通じて画像の数が閾値を超えているため、案内部２１６は、案内時期が指定されていない場合も、位置Ｓ１を撮影スポットとして案内する。
【００４１】
図５は、異なる位置における、集計部２１４による集計の様子を示すイメージ図である。位置Ｓ２において、１月〜５月及び１０〜１２月の各月において集計された画像の数は、閾値を超えている。よって、案内時期である３月において、撮影された画像の数が閾値を超えているため、案内部２１６は、位置Ｓ２を撮影スポットとして案内する。一方、６月〜９月の各月において集計された画像の数は閾値を超えていない。そのため、案内時期が例えば８月である場合には、案内部２１６は、位置Ｓ２を撮影スポットとして案内しない。なお、位置Ｓ２は、年間を通じて集計結果が閾値を超えていないため、案内時期が指定されていない場合にも、案内部２１６は、位置Ｓ２を撮影スポットとして案内しない。
【００４２】
図２に戻り、次に、案内部２１６は、ステップＳ１００において選択され、ステップＳ２００において取得された表示方法に基づいて案内情報を生成し、生成した案内情報を通信部２２０を介してスマートフォン１００へ送信する（ステップＳ２４０）。具体的には、案内部２１６は、表示方法として地図上に表示することが選択されている場合には、決定された撮影スポットを含む地図データと撮影スポットを示すデータと、を含む案内情報をスマートフォン１００へ送信する。リスト化して表示することが選択されている場合には、案内部２１６は、ステップＳ２２０において決定された撮影スポットをリスト化して示すためのデータを、スマートフォン１００へ送信する。
【００４３】
なお、案内部２１６は、ステップＳ２２０において、画像の数が閾値以上の位置がない場合には（ステップＳ２２０：ＮＯ）、案内情報として、その旨を通信部２２０を介してスマートフォン１００へ送信する（ステップＳ２４０）。
【００４４】
スマートフォン１００の制御部１１０は、無線通信部１２０を介して案内情報を受信すると（ステップＳ１３０）、受信した案内情報を、表示部１２４に表示する（ステップＳ１４０）。以上のようにして、以上のようにして撮影スポット案内システム１０による撮影スポット案内処理が実行される。
【００４５】
図６は、表示部１２４に表示される案内情報の例Ｗ２を示す図である。図６には、図２のステップＳ１００において、案内時期として「３月」が入力され、案内エリアとして「ＸＹ城」が入力され、表示方法として地図上への表示が選択された場合の撮影スポットＳ１〜Ｓ８が示されている。図６において、ハッチングを付して示しているエリアは、案内エリアではない非案内エリアである。図６に示すように「動物園」や「ＸＹ展示会場」など、画像が撮影される可能性の高い位置であっても、非案内エリア内における画像の数は集計されないので、「動物園」や「ＸＹ展示会場」における撮影スポットは案内情報として表示されない。
【００４６】
図７は、表示部１２４に表示される案内情報の別の例Ｗ３を示す図である。図７には、図２のステップＳ１００において、案内時期として「３月」が入力され、案内エリアとして「ＸＹ城」が入力され、表示方法としてリスト化して表示することが選択され、更に、画像の数の多い位置を優先して案内することが選択された場合の撮影スポットが示されている。図７より、ＸＹ城において最も多く画像が撮影されている位置はＳ１であることがわかる。なお、上述したように、案内時期によって案内情報は異なり得るため、図６及び図７に示す案内情報も案内時期によって変わり得る。
【００４７】
以上で説明した撮影スポット案内処理では、閾値を超えた数の撮影が行われた位置が、撮影スポットとして案内される。撮影が多く行われた位置は、撮影対象となる景色や施設などの存在する撮影に適した位置である可能性が高いので、ユーザにとって、精度の高い撮影スポット案内を行うことができる。また、撮影された画像の数が時期ごとに集計され、案内時期に対応する時期において閾値を超えている位置が、撮影スポットとして案内される。そのため、例えば桜がきれいな位置や、紅葉がきれいな位置など撮影された画像の数が時期によって変動がある位置であっても、案内時期における適切な撮影スポットを案内することができる。
【００４８】
また、集計部２１４は案内エリア内において、位置ごとに撮影された画像の数を集計し、案内部は案内エリア内の撮影スポットを案内するので、集計部２１４がエリアを限定しないで集計を行う場合に比べて、集計に要する時間を短縮することができる。よって、ユーザは、案内情報を速やかに得ることができる。また、例えば非案内エリアに画像が多く撮影される可能性の高い施設やテーマパークが存在していても、非案内エリアの撮影スポットは案内されないので、精度の高い案内を行うことができる。
【００４９】
更に、案内部２１６は、撮影スポットのうち、画像の数の多い位置を優先して案内することができるので、より人気のある撮影スポットを特定して案内することができる。よって、ユーザは人気のある撮影スポットから撮影を行うことができるので、ユーザにとって利便性の高い案内を行うことができる。
【００５０】
Ｂ．変形例：
Ｂ１．変形例１：
上述の実施形態において、位置情報には、経度・緯度に加えて更に、高度が含まれてもよい。こうすることで、複数の階層を備える施設など経度・緯度が同じであるものの、高度に応じて撮影される画像の数が異なる場合であっても、高度に応じた適切な撮影スポットを案内することができる。よって、撮影スポット案内の精度を高めることができる。
【００５１】
Ｂ２．変形例２：
上述の実施形態において、画像情報には、撮影方向（角度）が含まれてもよい。例えば、集計部２１４は、撮影スポットにおいて撮影された画像について、撮影された方向の多い方向を集計し、案内部２１６は、撮影された数の多い撮影方向又は閾値を超えた撮影方向を案内してもよい。こうすることで、ユーザは撮影スポットにおいて、撮影対象を容易に発見することができるので、利便性の高い案内を行うことができる。
【００５２】
Ｂ３．変形例３：
上述の実施形態において、画像情報には、画像が撮影された種々の撮影条件が含まれていてもよい。例えば、集計部２１４は、撮影スポットにおいて撮影された画像について、夜景モード、赤目補正、逆光モード、フラッシュ禁止モードなど、画像を撮影するための種々の撮影モードのうち、使用された数の多い撮影モードを集計し、案内部２１６は、集計された撮影モードを案内してもよい。こうすることで、ユーザは撮影スポットにおいて、撮影するために適した撮影モードを知ることができるので、品質のよい画像を撮影することができる可能性を高めることができる。
【００５３】
Ｂ４．変形例４：
上述の実施形態において、集計部２１４が集計を行う時期の単位は、月である。これに対し、撮影された画像の数を集計する時期の単位は、例えば、時間、日、週、季節や、例えば特定の日の特定の時間帯などの組合せなどであってもよい。時間ごとに集計がされ、案内時期として例えば夜間の時間帯が指定された場合には、夜間の時間帯における撮影スポットが案内される。このように、集計を行う時期を任意に設定することによって、撮影スポット案内の精度を高めることができる。
【００５４】
Ｂ５．変形例５：
上述の実施形態において、案内サーバ２００の主制御部２１０は、不定期に開催された展示会や過去において発生した事故などのイベント発生時期（時期情報）と、位置（位置情報）とを対応付けて記憶する不定期イベントデータベースを備えていてもよい。不定期イベントデータベースは、例えばニュースやブログの記事などに基づいて作成されてもよい。集計部２１４は、不定期イベントデータベースを参照して、イベントの発生時期に対応する時期情報及び、イベントの発生位置に対応する位置情報を有する画像情報を備える画像については、集計結果から除外してもよい。通常、イベントでは多くの画像が撮影されるものの、不定期なイベントにおいて画像が撮影された位置は、イベント終了後には撮影対象が存在しない可能性が高い。このような位置が撮影スポットとして案内されると、ユーザは撮影すべき対象を発見できない可能性がある。しかし、イベントの発生時期と位置とに対応する画像情報を有する画像を、集計結果から除外すれば、撮影スポット案内の精度をいっそう高めることができる。
【００５５】
Ｂ６．変形例６：
上述の実施形態において、案内サーバ２００の主制御部２１０は、定期的に開催されるイベントの開催時期（時期情報）と、開催位置（位置情報）とを記憶する定期イベントデータベースを備えていてもよい。定期イベントデータベースは、例えばニュースやブログの記事などに基づいて作成されてもよい。案内部２１６は、定期イベントデータベースにおけるイベントの発生時期と案内時期とが対応する場合であって、案内エリアにイベントの開催位置が含まれる場合には、その位置に対応する撮影スポットを、優先的に案内してもよい。このようにすれば、ユーザは、定期的に開催されるイベントを逃さずに、撮影を行うことができるので、利便性の高い案内を行うことができる。
【００５６】
Ｂ７．変形例７：
上述の実施形態において、閾値は、予め撮影スポット案内システム１０の管理者によって定められ、記憶部２３０に記憶されている。これに対し、閾値は、エリアごとに定められていてもよい。例えば、訪問人数が多いエリアでは、訪問人数が少ないエリアに比べて、撮影される画像の数が多い。そのため、訪問人数に応じて閾値を定めれば、訪問人数が多いエリアでは撮影スポットが多く案内されることによる煩わしさを解消することができる。また、訪問人数が少ないエリアでは、撮影スポットを適切に案内することができる。よって、精度の高い案内を行うことができる。
【００５７】
Ｂ８．変形例８：
上述の実施形態において、案内エリアが設定されていない場合には、案内エリアを現在位置から所定の範囲として、画像の数を集計している。これに対し、案内サーバ２００の主制御部２１０は、エリアデータベース２５０に集計結果から除外する除外エリアを記憶しておき、集計部２１４は、現在位置から所定の範囲内に除外エリアが含まれる場合には、除外エリアにおいて撮影された画像を、集計結果から除外してもよい。通常、結婚式場などでは多くの画像が撮影されるものの、結婚式場は、その結婚式にかかわっていないユーザにとって、撮影スポットとして適切ではない。そのため、このようなエリアを除外エリアとして記憶しておき、除外エリアにおいて撮影された画像を、集計結果から除外すれば、撮影スポット案内の精度を高めることができる。
【００５８】
Ｂ９．変形例９：
上述の実施形態において、集計部２１４は、案内時期が指定されていない場合には、案内部２１６は過去１年間における時期ごとの集計結果が全て閾値を超えている位置を、撮影スポットとして案内している。これに対し、集計部２１４は、時期ごとの集計結果の推移（傾き、増加率、減少率）を求めておき、案内部２１６は、増加率が所定の値を超えた位置を最新の撮影スポットとして案内してもよい。こうすることで、話題性の高い撮影スポットを案内することができる。
【００５９】
Ｂ１０．変形例１０：
上述の実施形態では、例えば図６、図７を用いて説明したように、表示部１２４には、案内情報として、撮影スポットを示す情報が表示される。これに対し、案内部２１６は、案内情報として表示部１２４に、撮影スポットを特定して表示するとともに、スマートフォン１００のユーザの現在位置に基づいて、それぞれの撮影スポットまでの距離や、移動手段に応じた到達時間を表示してもよい。また、案内部２１６は、地図データベース２６０を用いて、現在位置から撮影スポットまでの経路探索を行ってもよい。こうすることで、利便性の高い案内を行うことできる。また、スマートフォン１００の制御部１１０は、現在位置が撮影スポット周辺に達した場合には、その旨を表示部１２４に表示することによって、又は音声によって、ユーザに通知してもよい。こうすることによって、撮影スポットにおいて確実に撮影を行うことができる可能性を高めることができる。
【００６０】
Ｂ１１．変形例１１：
案内サーバ２００は、位置ごとに集計された画像に対して、更に画像処理を行い、類似する写真を特定する画像処理部を備えていてもよい。集計部２１４は、類似する画像の数を集計してもよい。こうすることで、類似する写真が撮影された撮影スポットが案内されるので、撮影スポット案内の確実性を高めることができる。また、案内部２１６は、類似する画像として集計された画像を、撮影スポットの案内情報に重畳して表示してもよい。こうすることで、ユーザは、撮影対象を確実に把握して、人気のある撮影対象を撮影することができる。
【００６１】
Ｂ１２：変形例１２：
上述の実施形態では、案内サーバ２００は記憶部２３０の画像情報データベース２４０に画像情報を記憶している。これに対して、案内サーバ２００の主制御部２１０は、案内条件及び案内要求を取得した場合に、案内条件に対応する画像情報を、通信部２２０を介して外部サーバから取得してもよい。こうすることで、案内サーバ２００の記憶領域を有効に活用することができる。また、案内サーバ２００の主制御部２１０は、所定のタイミングで画像情報を外部サーバから取得してもよい。
【００６２】
Ｂ１３：変形例１３：
上述の実施形態では、案内サーバ２００が、画像情報やエリアデータ、地図データ、ネットワークデータを記憶している。これに対して、スマートフォン１００は、これらのデータを、自身のメモリに記憶していてもよい。この場合、スマートフォン１００は、自身のメモリに記憶された画像情報やエリアデータ、地図データ、ネットワークデータを用いて撮影スポット案内処理を行うことができる。
【００６３】
Ｂ１４．変形例１４：
上述の実施形態では、案内時期入力欄Ｃ１に入力がされていない場合には、制御部１１０は、案内時期を１年間に設定して案内サーバ２００へ送信し、集計部２１４は、案内時期において位置ごとに撮影された画像の数を集計している。これに対し、集計部２１４は、時期にかかわらず、画像情報データベース２４０に記憶されている画像を対象として集計を行ってもよい。こうすることで、より多くの画像を対象として集計を行うことができる。また、案内エリア入力欄Ｃ２に入力がされていない場合には、制御部１１０は、ユーザの現在位置を検出し、案内エリアを現在位置から所定の範囲に設定して案内サーバ２００へ送信し、集計部２１４は、案内エリアにおいて位置ごとに撮影された画像の数を集計している。これに対し、集計部２１４は、位置にかかわらず、画像情報データベース２４０に記憶されている画像を対象として集計を行ってもよい。
【００６４】
Ｂ１５．変形例１５： 
集計部２１４の集計する画像は、静止画に限らず、動画であってもよい。また、集計部２１４は、位置ごとに、動画が撮影された数と静止画が撮影された数とを集計し、案内部２１６は、撮影された動画の数が閾値を超えた位置を、動画撮影スポットとして案内し、静止画が撮影された数が閾値を超えた位置を、静止画撮影スポットとして案内してもよい。こうすることで、動画を撮影するために適した撮影スポット及び静止画を撮影するために適した撮影スポットをそれぞれ案内することができる。
【００６５】
Ｂ１６．変形例１６
上述の実施形態では、撮影スポット案内処理は、スマートフォン１００を用いて実行されている。これに対し、スマートフォン１００は、一般的な携帯電話やノート型パソコン、タブレット端末、携帯情報端末（ＰＤＡ）、車載端末、携帯音楽プレーヤ、携帯型ゲーム機、など、様々な装置に置きかえることが可能である。
【００６６】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組合せを行うことが可能である。また、その技術的特徴が本明細書中に必須なものとして説明されていなければ、適宜、削除することが可能である。
【符号の説明】
【００６７】
１０…撮影スポット案内システム
７０…通信キャリア
８０…インターネット
１００…スマートフォン
１１０…制御部
１２０…無線通信部
１２２…タッチパネル
１２４…表示部
１２８…計時部
１３０…記憶部
２００…案内サーバ
２１０…主制御部
２１１…案内時期取得部
２１２…案内エリア取得部
２１４…集計部
２１６…案内部
２２０…通信部
２３０…記憶部
２４０…画像情報データベース
２５０…エリアデータベース
２６０…地図データベース
Ｓ１〜Ｓ８…撮影スポット
Ｃ１…案内時期入力欄
Ｃ２…案内エリア入力欄
Ｃ３…表示方法選択欄
Ｃ４…優先順位表示選択欄
Ｂ１１…キャンセルボタン
Ｂ１２…案内開始ボタン
Ｗ１…入力画面
Ｗ２、Ｗ３…案内情報の例
【図１】
2014232407.tif 000003
【図２】
2014232407.tif 000004
【図３】
2014232407.tif 000005
【図４】
2014232407.tif 000006
【図５】
2014232407.tif 000007
【図６】
2014232407.tif 000008
【図７】
2014232407.tif 000009